(57)【要約】【課題】接続作業の過程において端子部の挿入状態を確認することができ、端子部を確実に接続することができるコネクタを提供する。【解決手段】ツイストペア線の端子部７２が挿入される挿入穴１１が設けられたコネクタ本体１に、この挿入穴１１に連通する開口部を形成する。コネクタ本体１の外側には、端子部７２の挿入穴１１への挿入方向へ移動可能なリテーナ３を設ける。挿入穴１１内に挿入された端子部７２の第２凹部７４内へ、開口部を通してリテーナ３の突起部を挿入することで、リテーナ３が端子部７２を保持する。挿入穴１１内には端子部７２の第１凹部７３に係合する係合爪１３を設ける。リテーナ３を端子部７２の挿入方向へ移動させることによって、第２凹部７４内へ挿入されたリテーナ３が端子部７２を奥方へ移動させ、挿入穴１１内の端子部７２を係合爪１３に係合させる。【選択図】図７
2016162588.tif 000002
【特許請求の範囲】
【請求項１】
ツイストペア線が接続されるコネクタにおいて、
前記ツイストペア線に含まれる電線の端子部が挿入される複数の挿入穴、及び、前記挿入穴に連通する開口部が形成されたコネクタ本体と、
前記開口部へ挿入される突起部を有し、前記端子部の前記挿入穴への挿入方向へ移動可能に前記コネクタ本体の外側に設けられ、前記挿入方向への移動により前記開口部へ挿入された前記突起部が前記挿入穴内の前記端子部を保持する保持具と
を備えることを特徴とするコネクタ。
【請求項２】
前記突起部は、前記保持具の移動により、前記挿入穴内の前記端子部を前記挿入方向へ移動させるようにしてあること
を特徴とする請求項１に記載のコネクタ。
【請求項３】
前記コネクタ本体の前記挿入穴内に設けられ、前記挿入穴に挿入された前記端子部に係合する係合部を備え、
前記突起部は、前記保持具の移動により、前記挿入穴内の前記端子部を前記係合部に係合させるようにしてあること
を特徴とする請求項２に記載のコネクタ。
【請求項４】
前記保持具は、移動により前記開口部を閉塞するようにしてあること
を特徴とする請求項１乃至請求項３のいずれか１つに記載のコネクタ。
【請求項５】
前記端子部には凹部が形成してあり、
前記保持具は、前記挿入穴に挿入された前記端子部の前記凹部内へ前記突起部が前記開口部を通して移動する第１の移動と、該第１の移動の後に前記挿入方向へ移動する第２の移動とを行うことが可能なように前記コネクタ本体に設けられていること
を特徴とする請求項１乃至請求項４のいずれか１つに記載のコネクタ。
【請求項６】
前記突起部は、前記端子部が前記挿入穴内の所定位置にない場合に、前記突起部が前記端子部に当接して前記保持具の前記第１の移動を妨げるようにしてあること
を特徴とする請求項５に記載のコネクタ。
【発明の詳細な説明】
【技術分野】
【０００１】
本発明は、一又は複数本のツイストペア線が接続されるコネクタに関する。
【背景技術】
【０００２】
例えば車両内に設けられた複数の装置が通信を行う方式として、ＣＡＮ（Controller Area Network）のプロトコルが広く採用されている。ＣＡＮのプロトコルでは、それぞれが絶縁膜で覆われた２本の電線を撚り合わせたツイストペア線が通信線として用いられ、ツイストペア線を介して複数の装置が有線通信を行う。通信を行う各装置、通信を中継する装置、及び、通信線を分岐又は延長等するための装置においては、ツイストペア線を接続するためのコネクタが必要である。ツイストペア線は、その両端部分において撚り解かれ、撚り解かれた各電線端に接続のための端子部が設けられる。ただしツイストペア線の撚り解き部分は、その長さが長いほど通信性能を低下させる虞がある。このためツイストペア線の撚り解き部分は、できるだけ短いことが望まれる。
【０００３】
しかしながら、ツイストペア線の撚り解き部分が短い場合、ツイストペア線の端子部をコネクタに接続する際の作業性が低下する。ツイストペア線のコネクタに対する接続では、コネクタに設けられた穴部に対して、ツイストペア線の２つの端子部を略同時的に挿入する必要がある。２つの端子部を略同時的にコネクタへ挿入するという作業方法では、いずれか一方の端子部の挿入が不十分となり、端子部の半挿入状態又は端子部の抜け落ち等が発生する虞がある。
【０００４】
特許文献１には、斜め方向にスライドして組み付けられるリテーナを備えたコネクタが記載されている。特許文献１に記載のコネクタでは、正規位置に組み付けられたリテーナは、前部に設けたがた詰め部によって、前方への位置ずれが抑えられると共に、後部に設けた係止片とコネクタ本体部のリテーナ開口部との係止代が小さくなることが回避される。
【先行技術文献】
【特許文献】
【０００５】
【特許文献１】特開２００７−３０５４７３号公報
【発明の概要】
【発明が解決しようとする課題】
【０００６】
しかしながら特許文献１に記載のコネクタは、電線の端子部の挿入状態を確認又は検査等することが難しく、端子部の半挿入状態又は端子部の抜け落ち等が発生するという上記の問題を解決することはできない。
【０００７】
本発明は、斯かる事情に鑑みてなされたものであって、その目的とするところは、接続作業の過程において端子部の挿入状態を確認又は検査等することができ、端子部を確実に接続することができるコネクタを提供することにある。
【課題を解決するための手段】
【０００８】
本発明に係るコネクタは、ツイストペア線が接続されるコネクタにおいて、前記ツイストペア線に含まれる電線の端子部が挿入される複数の挿入穴、及び、前記挿入穴に連通する開口部が形成されたコネクタ本体と、前記開口部へ挿入される突起部を有し、前記端子部の前記挿入穴への挿入方向へ移動可能に前記コネクタ本体の外側に設けられ、前記挿入方向への移動により前記開口部へ挿入された前記突起部が前記挿入穴内の前記端子部を保持する保持具とを備えることを特徴とする。
【０００９】
また、本発明に係るコネクタは、前記突起部が、前記保持具の移動により、前記挿入穴内の前記端子部を前記挿入方向へ移動させるようにしてあることを特徴とする。
【００１０】
また、本発明に係るコネクタは、前記コネクタ本体の前記挿入穴内に設けられ、前記挿入穴に挿入された前記端子部に係合する係合部を備え、前記突起部は、前記保持具の移動により、前記挿入穴内の前記端子部を前記係合部に係合させるようにしてあることを特徴とする。
【００１１】
また、本発明に係るコネクタは、前記保持具が、移動により前記開口部を閉塞するようにしてあることを特徴とする。
【００１２】
また、本発明に係るコネクタは、前記端子部には凹部が形成してあり、前記保持具は、前記挿入穴に挿入された前記端子部の前記凹部内へ前記突起部が前記開口部を通して移動する第１の移動と、該第１の移動の後に前記挿入方向へ移動する第２の移動とを行うことが可能なように前記コネクタ本体に設けられていることを特徴とする。
【００１３】
また、本発明に係るコネクタは、前記突起部が、前記端子部が前記挿入穴内の所定位置にない場合に、前記突起部が前記端子部に当接して前記保持具の前記第１の移動を妨げるようにしてあることを特徴とする。
【００１４】
本発明においては、ツイストペア線の端子部が挿入される挿入穴が設けられたコネクタ本体に、この挿入穴に連通する開口部を形成する。これにより接続作業を行う作業者は、挿入穴に挿入した端子部を、コネクタ本体の開口部を通して視認することができ、端子部の挿入状態を確認又は検査等することが可能となる。またコネクタ本体の外側には、端子部の挿入穴への挿入方向及びその逆方向へ移動可能な保持具を設ける。保持具を挿入方向へ移動させることにより、コネクタ本体に形成された開口部を通して、挿入穴内に挿入された端子部を保持具が保持する。これにより、作業者が保持具を移動させる簡単な作業を行うのみで、コネクタ本体に対する端子部の確実な保持を実現できる。
【００１５】
また本発明においては、コネクタ本体の挿入穴内に、ツイストペア線の端子部に係合する係合部を設ける。これにより端子部を確実に接続することができる。また保持具を挿入方向へ移動させることによって、挿入穴内の端子部を係合部に係合させることができる構成とする。これにより、挿入穴に挿入された端子部が係合部に係合していない状態であっても、保持具を移動させる作業を行うことにより、作業者が容易且つ確実に端子部を係合させることができる。
【００１６】
また本発明においては、保持具を移動させることにより、コネクタ本体の開口部を閉塞することができる構成とする。これにより、ツイストペア線の接続作業の完了後は、コネクタ本体内へ開口部を通して塵埃などが侵入することを防止できる。
【００１７】
また本発明においては、ツイストペア線の端子部には、少なくとも挿入穴に挿入された場合にコネクタ本体の開口部から視認できる位置に、凹部が形成されている。コネクタの保持具は、開口部を通してその一部分が挿入穴内の端子部の凹部内へ移動する第１の移動を行った後、上述の挿入方向へ移動する第２の移動を行うことができる構成でコネクタ本体に設けられている。これにより、保持具による端子部の保持を容易且つ確実に行うことができる。
また保持具は、端子部が挿入穴内の所定位置にない場合に、第１の移動が不可能となるよう構成されている。これにより、端子部の挿入位置の正否を容易に判断することができる。
【発明の効果】
【００１８】
本発明による場合は、コネクタ本体に形成した開口部により接続作業の過程において端子部の挿入状態を確認又は検査等することができ、保持具により端子部を確実に接続することができる。
【図面の簡単な説明】
【００１９】
【図１】本実施の形態に係るコネクタの構成を示す模式的な分解斜視図である。
【図２】本実施の形態に係るコネクタの構成を説明するための一部透視側面図である。
【図３】本実施の形態に係るコネクタの構成を説明するための一部透視上面図である。
【図４】本実施の形態に係るコネクタの構成を説明するための一部透視正面図である。
【図５】本実施の形態に係るコネクタが有する保持具の構成を示す側面図及び前面図である。
【図６】本実施の形態に係るコネクタの構成を説明するための一部透視側面図である。
【図７】本実施の形態に係るコネクタにおけるツイストペア線の接続作業の第１例を説明するための模式的側断面図である。
【図８】本実施の形態に係るコネクタにおけるツイストペア線の接続作業の第２例を説明するための模式的側断面図である。
【図９】本実施の形態に係るコネクタにおけるツイストペア線の接続作業の第３例を説明するための模式的側断面図である。
【発明を実施するための形態】
【００２０】
以下、本発明をその実施の形態を示す図面に基づき具体的に説明する。図１は、本実施の形態に係るコネクタの構成を示す模式的な分解斜視図である。図２は、本実施の形態に係るコネクタの構成を説明するための一部透視側面図である。図３は、本実施の形態に係るコネクタの構成を説明するための一部透視上面図である。図４は、本実施の形態に係るコネクタの構成を説明するための一部透視正面図である。なお本実施の形態においては、各図における前、後、上、下の記載に基づいてコネクタの向き及び位置等を説明するが、これは説明を簡略化するための便宜的なものである。
【００２１】
本実施の形態に係るコネクタは、略直方体型のコネクタ本体１と、このコネクタ本体１に取り付けられるリテーナ（保持具）３とを備えている。なお図１においてはリテーナ３を１つのみ図示してあるが、実際にはコネクタ本体１に対して同形状の２つのリテーナ３が取り付けられる。また図２〜図４には、コネクタのリテーナ３の取付途中の状態を図示してある。コネクタ本体１には、前面から後面へ貫通して８つの挿入穴１１が設けられている。各挿入穴１１の開口形状は略正方形である。コネクタ本体１の前面及び後面のそれぞれにおいて、８つの挿入穴１１による８つの開口は、４×２のマトリクス状に略等間隔で配置されている（上側に４つ、下側に４つ配置されている）。また８つの挿入穴１１は、コネクタ本体１内で略平行に前後方向へ貫通して設けられている。
【００２２】
コネクタ本体１の周面（上面、下面及び２つの側面）は、前後方向の中途部分を凹ませてある。またコネクタ本体１の上面及び下面には、上記の凹み部分に、この凹み部分の前半部分を更に凹ませる態様で、開口部１２が設けられている。各開口部１２は、前後方向に長い長方形状であり、それぞれ挿入穴１１に連通している。本実施の形態に係るコネクタのコネクタ本体１には上下に４つずつの挿入穴１１が設けられているため、コネクタ本体１の上面及び下面には、それぞれ４つずつの開口部１２が設けられる。開口部１２を通して、挿入穴１１の内部を視認することができる。
【００２３】
コネクタ本体１の各挿入穴１１の内部には、係合爪１３がそれぞれ設けられている。上側の４つの挿入穴１１には下側の内面に係合爪１３が設けられ、下側の４つの挿入穴１１には上側の内面に係合爪１３が設けられている。係合爪１３は、コネクタ本体１の上記の凹み部分が設けられた箇所よりも前側の位置に、挿入穴１１の一の内面から斜め前方へ突出するように設けられている。係合爪部１３は、挿入穴１１の内面から斜め方向に設けられた板形状のものであり、挿入穴１１の内面へ近接させる方向へ撓めることができる。係合爪１３が設けられる内面は、開口部１２により一部が開かれた内面に対向する内面である。
【００２４】
本実施の形態に係るコネクタは、４本のツイストペア線７を接続することができる構成である。コネクタ本体１に形成された８つの挿入穴１１は、ツイストペア線７の２つの電線７１の端部に設けられた端子部７２をそれぞれ挿入するためのものである。なおツイストペア線７の端子部７２は、コネクタ本体１の後面側から挿入穴１１に挿入される。
【００２５】
ツイストペア線７の端子部７２は、略直方体型又は角棒状をなしている。端子部７２の先端面は、コネクタ本体１の挿入穴１１の開口サイズと略同じ又は若干小さいサイズの略正方形である。端子部７２の長さは、挿入穴１１の長さより若干短い。端子部７２の一の側面には、先端部の近傍に第１凹部７３が形成されている。第１凹部７３は、端子部７２が挿入穴１１に挿入された場合に、挿入穴１１の係合爪１３がその内部に収まることによって、挿入穴１１からの端子部７２の抜け落ちなどを防止するためのものである。挿入穴１１の係合爪１３が及び端子部７２の第１凹部７３が係合している状態（図２等参照）が、コネクタにツイストペア線７が正常に接続されている状態である。
【００２６】
また端子部７２の他の側面（第１凹部７３が形成されている面の反対面）には、第２凹部７４が形成されている。第２凹部７４は、端子部７２の長手方向の略中央（第１凹部７３よりも後端寄りの位置）に形成されている。第２凹部７４の長さは、コネクタ本体１の開口部１２の前後方向の長さより長い。第２凹部７４は、挿入穴１１に挿入された端子部７２が係合爪１３に係合して正常に接続された状態となった場合に、コネクタ本体１の開口部１２を通して外部から視認することができる位置に形成されている。これによりコネクタ及びツイストペア線７の接続を行う作業者は、端子部７２をコネクタ本体１の挿入穴１１へ挿入した後、開口部１２を通して目視で端子部７２の挿入状態を確認することができる。また端子部７２の第２凹部７４の前側端部は、ツイストペア線７がコネクタに正常に接続された状態となった場合に、コネクタ本体１の開口部１２の前側端部と略同じ位置となるように、形成位置が規定されている。
【００２７】
図５Ａ及び図５Ｂは、本実施の形態に係るコネクタが有するリテーナ３の構成を示す側面図及び前面図である。図６は、本実施の形態に係るコネクタの構成を説明するための一部透視側面図であり、コネクタのリテーナ３の取付完了状態を図示してある。本実施の形態に係るコネクタは、コネクタ本体１のこの凹み部分に２つのリテーナ３を取り付ける。リテーナ３は、前面視で略Ｕ字型をなしている。上側のリテーナ３にてコネクタ本体１の上面及び両側面の上半分の凹み部分を覆い、下側のリテーナ３にてコネクタ本体１の下面及び両側面の下半分の凹み部分を覆う。なお本実施の形態に係るコネクタ及びコネクタ本体１は上下方向に対称な形状であり、２つのリテーナ３は略同じ形状である。
【００２８】
コネクタ本体１に取り付けられるリテーナ３は、略長方形の基板部３１の長手方向の両端に側板部３２をそれぞれ同方向へ略垂直に設けた略Ｕ字型をなしている。基板部３１の内面（側板部３２が設けられている側の面）には、４つの突起部３３が設けられている。突起部３３は、略直方体型をなし、基板部３１の前側端部に、基板部３１の長手方向に略等間隔で並べて設けられている。リテーナ３に設けられた４つの突起部３３は、コネクタ本体１にリテーナ３が取り付けられた場合に、コネクタ本体１に形成された４つの開口部１２内に挿入される。よってリテーナ３の各突起部３３の幅は、コネクタ本体１の各開口部１２の幅と略同じか又はこれより狭い。４つの突起部３３が設けられた間隔は、開口部１２又は挿入穴１１の設けられた間隔と略同じである。更に開口部１２へ挿入されたリテーナ３の突起部３３は、開口部１２を通してコネクタ本体１の挿入穴内に突出する。このため、コネクタ本体１の挿入穴１１にツイストペア線７の端子部７２が挿入されている場合、リテーナ３３の突起部３３は、端子部７２の第２凹部７４内へ突出する。これによりリテーナ３の突起部３３は、コネクタに対して正常に接続されたツイストペア線７の端子部７２が挿入穴１１から抜け落ちることを防止している。
【００２９】
またリテーナ３の基板部３１の内面は、コネクタ本体１に取り付けられた場合に、コネクタ本体１の上面又は下面に設けられた凹み部分の表面に当接する。リテーナ３の基板部３１の厚みは、コネクタ本体１の凹み部分の凹み量に略等しく、コネクタ本体１にリテーナ３が取り付けられた場合には、コネクタ本体１の上面又は下面とリテーナ３の基板３１の外面とが略面一となる。
【００３０】
リテーナ３の２つの側板部３２の内面には、円柱状の軸部３４がそれぞれ突設されている。軸部３４は、リテーナ３のコネクタ本体１に対する取付作業の補助、及び、コネクタ本体１に対するリテーナ３の固定等のために設けられたものである。
【００３１】
また、コネクタ本体１にはガイド部１４が設けられている。ガイド部１４は、コネクタ本体１の側面の凹み部分にそれぞれ２つずつ上下に並べて設けられている。即ちコネクタ本体１には、両側面に２つずつ、合計４つのガイド部１４が設けられている。同じ側面に並べて設けられた２つのガイド部１４は、上下に対象な形状である。ガイド部１４は、コネクタ本体の側面に設けた突出部分に、略Ｌ字型の屈曲した溝を形成したものである。略Ｌ字型のガイド部１４の一端部は、コネクタ本体１の上面側又は下面側にて解放され、この解放部からリテーナ３の軸部３４をガイド部１４の溝内へ入れることができる。ガイド部１４の溝の幅は、軸部３４の直径と略同じか又は若干大きい程度である。ガイド部１４内に軸部３４を入れ、ガイド部１４に沿ってリテーナ３をスライドさせることによって、コネクタ本体１に対するリテーナ３の取付を行うことができる。ガイド部１４は、溝内にリテーナ３の軸部３４を収めることによって、取付作業の際にリテーナ３の移動方向を案内すると共に、リテーナ３をコネクタ本体１から取り外し不可能に保持するためのものである。
【００３２】
またガイド部１４の通路内の３ヵ所には、両側の壁部分の対向する位置に、それぞれ爪部が設けられている。即ち、対向する２つの爪部を一組とし、ガイド部１４には３組の爪部が設けられている。一組の爪部は、リテーナ３を取り付ける方向（軸部３４の進入方向）への移動を許可し、反対方向（軸部３４の退出方向）への移動を禁止するよう、リテーナ３の軸部３４の移動方向を規制する。ただし爪部は、リテーナ３の取付方向への移動についてもある程度規制しており、作業者が取付方向へ一定以上の力を加えることによって、リテーナ３を爪部の規制に抗して移動させることができる。
【００３３】
３組の爪部のうち１組目の爪部は、ガイド部１４の入口（解放部分）付近に設けられており、ガイド部１４からリテーナ３の軸部３４が外れることを防止している。２組目の爪部は、１組目の爪部から軸部３４の直径程度の距離を隔てた箇所に設けられている。２組目の爪部は、１組目の爪部と共に軸部３４を保持することによって、リテーナ３を取付の待機位置（図２及び図３に示す位置）に保持するためのものである。例えば、コネクタ本体１に対してリテーナ３が待機位置に取り付けられている状態を、コネクタの商品としての出荷状態とすることができる。リテーナ３が待機位置に保持された状態で、コネクタに対するツイストペア線７の接続作業を作業者が行うことができる。３組目の爪部は、ガイド部１４の最奥から軸部３４の直径程度の距離を戻った箇所に設けられている。３組目の爪部は、ガイド部１４の最奥位置にて、ガイド部１４の奥壁との間にリテーナ３の軸部を挟みこむことによって、リテーナ３を不動に保持するためのものである（図６参照）。
【００３４】
図７は、本実施の形態に係るコネクタにおけるツイストペア線７の接続作業の第１例を説明するための模式的側断面図である。第１例は、ツイストペア線７の接続作業が正常に行われた場合である。例えば上側のリテーナ３をコネクタ本体１に取り付ける場合、作業者は、１組目の爪部の規制に抗して上側から下側へ力を加えることにより、リテーナ３の軸部３４をコネクタ本体１の上側に解放された入口からガイド部１４内へ進入させる。これによりリテーナ３は、１組目の爪部及び２組目の爪部に軸部３４が保持されることによって、ツイストペア線７の接続を待機する待機位置で保持される。なおこの状態においてリテーナ３の突起部３３は、開口部１２を通してコネクタ本体１の挿入穴１１内へは突出していない。なおツイストペア線７の接続作業を行う作業者は、必ずしもリテーナ３を待機位置へ取り付ける作業を行わなくてよい。
【００３５】
リテーナ３が待機位置に保持されたコネクタに対して、作業者は、ツイストペア線７の２本の電線７１をコネクタ本体１の２つの挿入穴１１へそれぞれ挿入することにより、端子部７２の接続作業を行う。上側の４つの挿入穴１１にツイストペア線７の端子部７２を挿入して接続を終えた後、作業者は、２組目の爪部の規制に抗して上側から下側へ力を加えることにより、リテーナ３を下方へ移動（第１の移動）させることができる。これによりリテーナ３の突起部３３は、コネクタ本体１の開口部１２を通して挿入穴１１内へ突出すると共に、挿入穴１１内の端子部７２に設けられた凹部７４内へ突出する。なおリテーナ３の下方への移動は、ガイド部１４の形状により一定以上の移動が規制されると共に、リテーナ３の基板部３１がコネクタ本体１の上面に当接することによっても規制される。
【００３６】
次いで作業者は、ガイド部１４の通路に沿って、リテーナ３を前方へスライド（第２の移動）させることができるが、３組目の爪部が設けられた箇所で前方へのスライドが妨げられる。この状態で作業者は、３組目の爪部の規制に抗して前方へ力を加えることにより、リテーナ３を更に前方へ移動させることができる。これによりリテーナ３は、最前の位置（ガイド部１４の最奥の位置）まで移動し、コネクタ本体１に対する取り付けが完了する。この状態においては、リテーナ３の突起部３３が、コネクタ本体１の開口部１２を通して、挿入穴１１内の端子部７２の後方への移動（抜け落ちなど）を防止する。またこの状態においてコネクタ本体１の開口部１２は、リテーナ３により覆われて閉塞される。これにより、コネクタ本体１の内外が開口部１２を通して連通することがリテーナ３により妨げられ、開口部１２を通して塵埃などがコネクタ本体１の内部へ侵入することを防止できる。
【００３７】
図８は、本実施の形態に係るコネクタにおけるツイストペア線７の接続作業の第２例を説明するための模式的側断面図である。第２例は、コネクタの挿入穴１１に対するツイストペア線７の端子部７２の挿入が不十分であった場合である。例えばコネクタ本体１の上側の挿入穴１１に対して端子部７２の挿入が不十分であり、コネクタ本体１の係合爪１３に端子部７２の第１凹部が係合していない状態を図８の左側に図示する。このような状態であっても、接続作業を行う作業者は、コネクタ本体１の開口部１２を通して挿通穴１１内の端子部７２の挿入状態を、端子部７２の第２凹部７４の位置などに応じて、目視により確認することができる。もし端子部７２の挿入が不十分であることを確認した場合、作業者は、端子部７２を更に奥方へ押し込むことで正規の接続状態とすることが可能である。
【００３８】
本実施の形態に係るコネクタは、作業者が端子部７２の挿入が不十分であることを見落とした場合であっても、リテーナ３の取付作業を行うことによって、端子部７２を挿入穴１１の奥方へ移動させて正規の接続状態とすることができる。リテーナ３の下方への移動（第１の移動）が行われた場合、リテーナ３の突起部３３は、コネクタ本体１の開口部１２を通して、挿入穴１１の奥方への挿入が不十分な端子部７２の第２凹部７４内へ突出する。その後、リテーナ３の前方へのスライド（第２の移動）が行われた場合、第２凹部７４内に挿入された突起部３３がリテーナ３のスライドに伴って端子部７２を挿入穴１１の奥方へ移動させる。これにより端子部７２は、図８の右側に示すように、係合爪１３との係合位置まで移動して正規の接続状態となる。
【００３９】
図９は、本実施の形態に係るコネクタにおけるツイストペア線７の接続作業の第３例を説明するための模式的側断面図である。第３例は、コネクタの挿入穴１１に対するツイストペア線７の端子部７２の挿入が更に不十分であった場合である。例えば、コネクタ本体１の開口部１２を通して挿入穴１１内に挿入された端子部７２の第２凹部７４が視認できない程に、挿入穴１１に対する端子部７２の挿入が不十分である場合を図９に示している。このような状態において、作業者がリテーナ３の下方への移動（第１の移動）を行おうとした場合、リテーナ３の突起部３３は、端子部７２の第２凹部７４へ突出することができず、端子部７２の上面などに当接する。このため作業者は、リテーナ３の下方への移動を行うことができず、端子部７２の挿入が不十分であることを認識することができる。
【００４０】
以上の構成の本実施の形態に係るコネクタは、ツイストペア線７の端子部７２が挿入される挿入穴１１が設けられたコネクタ本体１に、この挿入穴１１に連通する開口部１２が形成されている。これによりツイストペア線７をコネクタに接続する作業を行う作業者は、挿入穴１１に挿入した端子部７２をコネクタ本体１の開口部１２を通して視認することができ、端子部７２の挿入状態を確認又は検査等することができる。またコネクタ本体１の外側には、端子部７２の挿入穴１１への挿入方向及びその逆方向（例えば、図２において前後方向）へ移動可能なリテーナ（保持具）３を設ける。リテーナ３を挿入方向へ移動させることにより、コネクタ本体１に形成された開口部１２を通して、挿入穴１１内に挿入された端子部７２をリテーナ３が保持する。即ち、挿入穴１１内に挿入された端子部７２の第２凹部７４内へ、開口部１２を通してリテーナ３の突起部３３が突出することで、リテーナ３が端子部７２を保持する。これにより、作業者がリテーナ３を移動させる簡単な作業を行うのみで、コネクタ本体１に対する端子部７２の確実な保持を実現できる。
【００４１】
また本実施の形態に係るコネクタは、コネクタ本体１の挿入穴１１内に、ツイストペア線７の端子部７２の第１凹部７３に係合する係合爪１３を設けた構成である。これにより、コネクタに対してツイストペア線７を確実に接続することができる。またコネクタは、リテーナ３を端子部７２の挿入方向（図２において前方向）へ移動させることによって、端子部７２の第２凹部７４内へ挿入された突起部３３が端子部７２を奥方へ移動させ、挿入穴１１内の端子部７２を係合爪１３に係合させることができる構成である。これにより、挿入穴１１に挿入された端子部７２が係合爪１３に係合していない状態であっても、リテーナ３を移動させる作業を行うことにより、作業者が容易且つ確実に端子部７２を係合爪１３に係合させることができる。
【００４２】
また本実施の形態に係るコネクタは、リテーナ３を前方へ移動させて取付完了することにより、コネクタ本体１の開口部１２をリテーナ３が閉塞する構成である。これによりツイストペア線７の接続作業の完了後は、コネクタ本体１内へ開口部１２を通して塵埃などが侵入することを防止できる。
【００４３】
またツイストペア線７の端子部７２には、挿入穴１１に挿入された場合にコネクタ本体１の開口部１２を通して視認できる位置に、第２凹部７４が形成されている。これにより、開口部１２を通した端子部７２の挿入状態の確認等を容易化できる。またリテーナ３は、コネクタ本体１に設けられたガイド部１４により、コネクタ本体１の上面又は下面に近接／離隔する方向への移動（図２において上下方向への移動、第１の移動）と、コネクタ本体１への端子部７２の挿入方向への移動（図２において前後方向への移動、第２の移動）とを行うことができる。第１の移動を行うことにより、リテーナ３の突起部３３を挿入穴１１内の端子部７２の第２凹部７４内へ突出させることができる。第２の移動を行うことにより、端子部７２が係合爪１３と係合していない場合には、端子部７２を奥方へ移動させて係合爪１３に係合させることができる。
【００４４】
また本実施の形態に係るコネクタは、挿入穴１１への端子部７２の挿入が不十分であり、第２凹部７４がコネクタ本体１の開口部１２から視認できる位置にない場合には、リテーナ３の突起部３３が端子部７２に当接することにより、リテーナ３の第１の移動を妨げる構成である。これにより、リテーナ３を移動させることができるか否かに基づいて、作業者は端子部７２の挿入状態の正否を容易に判断することができる。
【００４５】
なお本実施の形態においては、コネクタが４本のツイストペア線７を接続可能な構成、即ちコネクタ本体１に挿入穴１１が８つ設けられた構成を例に説明を行ったが、これに限るものではない。コネクタは３本以下のツイストペア線７を接続する構成であってもよく、５本以上のツイストペア線７を接続する構成であってもよい。即ちコネクタ本体１に設けられる挿入穴１１は、６以下又は１０以上の偶数個であってよい。またコネクタは、２つのリテーナ３を備える構成としたが、これに限るものではなく、リテーナ３の数は１つ又は３つ以上であってよい。
【００４６】
また本実施の形態において図面に示したコネクタ本体１及びリテーナ３の形状及びサイズ等は、一例であってこれに限るものではなく、適宜に変更することができる。
【符号の説明】
【００４７】
１  コネクタ本体
３  リテーナ
７  ツイストペア線
１１  挿入穴
１２  開口部
１３  係合爪
１４  ガイド部
３１  基板部
３２  側板部
３３  突起部
３４  軸部
７１  電線
７２  端子部
７３  第１凹部
７４  第２凹部
【図１】
2016162588.tif 000003
【図２】
2016162588.tif 000004
【図３】
2016162588.tif 000005
【図４】
2016162588.tif 000006
【図５】
2016162588.tif 000007
【図６】
2016162588.tif 000008
【図７】
2016162588.tif 000009
【図８】
2016162588.tif 000010
【図９】
2016162588.tif 000011